(57)【要約】【課題】複数の椅子が固定されたホールの内部における遊技機の運搬作業を効率よく行うことができる遊技機運搬台車を提供する。【解決手段】一実施形態に係る遊技機運搬台車は、載せられた遊技機を運搬する遊技機運搬台車であって、床面を転動するキャスタ２が取り付けられた底部１０と、底部１０の上方に位置すると共に遊技機が載せられる載置部３０と、を備え、底部１０は、水平方向に延びる板状とされており、平面視において底部１０の内側に窪む凹部７を有し、凹部７は、平面視において底部１０の中央側に延びる一対の第１延在部７ｂと、一対の第１延在部７ｂのそれぞれから斜めに延びる一対の傾斜部７ｃと、一対の傾斜部７ｃの間において延在する第２延在部７ｄとを有する。【選択図】図２
2020044105.tif 000002
【特許請求の範囲】
【請求項１】
載せられた遊技機を運搬する遊技機運搬台車であって、
床面上を転動するキャスタが取り付けられた底部と、
前記底部の上方に位置すると共に前記遊技機が載せられる載置部と、
を備え、
前記底部は、水平方向に延びる板状とされており、平面視において前記底部の内側に窪む凹部を有し、
前記凹部は、平面視において前記底部の中央側に延びる一対の第１延在部と、一対の前記第１延在部のそれぞれから斜めに延びる一対の傾斜部と、前記一対の傾斜部の間において延在する第２延在部とを有する、
遊技機運搬台車。
【請求項２】
前記底部に対する前記載置部の高さを調整する高さ調整部を備える、
請求項１に記載の遊技機運搬台車。
【請求項３】
前記載置部は、前記遊技機が載せられる本体と、前記本体の平面視の一端に位置するスロープとを備え、
前記スロープは、前記本体から離れるに従って下方に傾斜する傾斜面を有する、
請求項１又は２に記載の遊技機運搬台車。
【請求項４】
前記スロープは、平面視において前記凹部の反対側に設けられる、
請求項３に記載の遊技機運搬台車。
【請求項５】
前記キャスタは、前記床面上における転動をロックするロック機構を有する、
請求項１〜４のいずれか一項に記載の遊技機運搬台車。
【請求項６】
前記底部の隅部に弾性体を含む保護部を備える、
請求項１〜５のいずれか一項に記載の遊技機運搬台車。
【請求項７】
前記載置部は、前記遊技機が載せられる本体と、前記本体の側面に取り付けられる把持部とを備え、
前記把持部の上面は前記本体の上面よりも下方に位置する、
請求項１〜６のいずれか一項に記載の遊技機運搬台車。
【請求項８】
前記底部の上面に設けられ、平面視において枠状に形成される箱状部を備える、
請求項１〜７のいずれか一項に記載の遊技機運搬台車。
【請求項９】
前記載置部は、載せられた前記遊技機の移動を阻止するストッパを備える、
請求項１〜８のいずれか一項に記載の遊技機運搬台車。
【発明の詳細な説明】
【技術分野】
【０００１】
本発明は、遊技機を運搬する遊技機運搬台車に関する。
【背景技術】
【０００２】
スロットマシン及びパチンコ機等の遊技機を運搬する遊技機運搬台車については従来から種々のものが知られている。例えば、遊技機の重量は３０ｋｇ以上であって、遊技機の高さは１ｍ程度であることがあり、遊技機が載せられる遊技機運搬台車としては強度が高いものが求められる。例えば、遊技店に運び込まれた遊技機は、遊技機運搬台車に載せられた状態でホールの遊技島まで運搬される。
【０００３】
実用新案登録第３２１３５５１号公報には、遊技機運搬用台車が記載されている。遊技機運搬用台車は、平坦な床面上を移動する基台部と、基台部の上部に設けられて遊技機が傾けた状態で載せられる載置部と、載置部の後方に設けられて遊技機の前後方向への移動を補助する移動補助部とを備える。基台部は、下面四隅に重量物運搬用のキャスタが取り付けられた基枠と、基枠から立設する側柱とを有する。基枠及び側柱は、共に、メッキ処理及び塗装が施された鋼製の角パイプによって形成されている。基枠は、角パイプがコの字状に連結されて構成されている。
【先行技術文献】
【特許文献】
【０００４】
【特許文献１】実用新案登録第３２１３５５１号公報
【発明の概要】
【発明が解決しようとする課題】
【０００５】
前述した遊技機運搬用台車では、キャスタが取り付けられた基枠がコの字状に連結された角パイプによって構成されている。キャスタは平面視における基枠の四隅のそれぞれに設けられる。ところで、遊技機を運搬するときには、島設備に対する遊技機の着脱において工具等が必要となる場合がある。このとき、遊技機運搬用台車によって遊技機を運搬しながら工具等を持ち運ばなければならない場合がある。しかしながら、前述した遊技機運搬用台車を用いて遊技機を運搬する場合には、遊技機運搬用台車とは別に工具等を持ち運ばなければならないため、遊技機の運搬作業の作業性において改善の余地がある。
【０００６】
また、ホールの遊技島には、設置される遊技機ごとに椅子が設けられ、狭いスペースに多くの椅子が並べられていることがある。これらの椅子は、転倒等を防ぐためにホールの床面に固定されていることが多い。従って、遊技機が載せられた遊技機運搬用台車を狭い間隔で並べられた複数の椅子の間に通して遊技機の運搬を行わなければならない。前述した遊技機運搬用台車では、棒状の角パイプがコの字状とされているので、遊技機の運搬時に棒状とされた部分が椅子等に当たって移動が妨げられる可能性が高く、遊技機の運搬をスムーズに行うことができないという実情がある。すなわち、角パイプの棒状部分が椅子等に衝突する可能性があるので、遊技機の運搬作業が困難となりうる。
【０００７】
本発明は、前述した問題に鑑みてなされたものであり、複数の椅子が固定されたホールの内部における遊技機の運搬作業を効率よく行うことができる遊技機運搬台車を提供することを目的とする。
【課題を解決するための手段】
【０００８】
本発明に係る遊技機運搬台車は、載せられた遊技機を運搬する遊技機運搬台車であって、床面上を転動するキャスタが取り付けられた底部と、底部の上方に位置すると共に遊技機が載せられる載置部と、を備え、底部は、水平方向に延びる板状とされており、平面視において底部の内側に窪む凹部を有し、凹部は、平面視において底部の中央側に延びる一対の第１延在部と、一対の第１延在部のそれぞれから斜めに延びる一対の傾斜部と、一対の傾斜部の間において延在する第２延在部とを有する。
【０００９】
この遊技機運搬台車では、床面上を転動するキャスタが取り付けられた底部が水平方向に延びる板状とされている。よって、板状とされた底部の上に工具等を載せることができる。すなわち、板状とされる底部を工具等の載置スペースとすることが可能である。従って、載置部に遊技機を載せると共に、板状の底部の上に工具等を載せることができるので、遊技機と工具等を共に遊技機運搬台車に載せることができる。その結果、遊技機の運搬作業の作業性を高めることができる。また、底部は、平面視において底部の内側に窪む凹部を有し、凹部は、底部の中央側に延びる一対の第１延在部、一対の傾斜部及び第２延在部を有する。よって、狭い間隔で並べられた複数の椅子の間において、第１延在部、傾斜部及び第２延在部を有する凹部を椅子に対面させた状態で当該椅子の外周に沿うように遊技機運搬台車を移動させることにより、遊技機を載せた遊技機運搬台車を複数の椅子の間でスムーズに移動させることができる。更に、水平方向に延びる板状とされた底部が凹部を有することにより、椅子等への底部の干渉を抑制することができる。従って、複数の椅子の間に遊技機運搬台車をスムーズに通すことができるので、複数の椅子が固定されたホールの内部における遊技機の運搬作業を効率よく行うことができる。
【００１０】
前述した遊技機運搬台車は、底部に対する載置部の高さを調整する高さ調整部を備えてもよい。ところで、遊技機が設置される島設備の高さは、ホール等によって微妙に異なることがある。従って、遊技機運搬台車の載置部の高さが不変である場合には、載置部から遊技機を持ち上げる必要が生じることがある。これに対し、前述した遊技機運搬台車は、載置部の高さを調整する高さ調整部を備えるため、島設備の高さが異なる場合であっても、高さ調整部によって載置部の高さを調整することにより、遊技機を持ち上げる手間を低減することができる。従って、高さ調整部で載置部の高さを調整することによって載置部に対する遊技機の載せ降ろしを効率よく行うことができるので、遊技機の運搬作業をよりスムーズに行うことができる。
【００１１】
前述した遊技機運搬台車において、載置部は、遊技機が載せられる本体と、本体の平面視の一端に位置するスロープとを備え、スロープは、本体から離れるに従って下方に傾斜する傾斜面を有してもよい。この場合、遊技機が載せられる載置部の本体の一端にスロープが設けられ、スロープは本体から離れるに従って下方に傾斜する傾斜面を有する。従って、スロープの傾斜面に沿って遊技機を移動させることによって遊技機をスムーズに本体の上に載せることができる。また、本体の上面からスロープの傾斜面に沿って遊技機を降ろすことにより、遊技機を本体からスムーズに降ろすことができる。従って、遊技機の運搬作業を一層スムーズに行うことができる。
【００１２】
前述したスロープは、平面視において凹部の反対側に設けられてもよい。この場合、椅子に凹部を対面させて椅子の外周に沿うように遊技機運搬台車を移動させると、スロープは椅子の反対側に向けられる。すなわち、平面視における椅子の位置を中心としたときに凹部が内側に向けられると共にスロープは外側に向けられる。従って、外側に位置する遊技機をスロープを介してスムーズに載置部に載せることができると共に、載置部からスロープを介して遊技機をスムーズに降ろすことができる。よって、載置部に対する遊技機の載せ降ろしを一層スムーズに行うことができるので、遊技機の運搬作業を一層効率よく行うことができる。
【００１３】
前述した遊技機運搬台車において、キャスタは、床面上における転動をロックするロック機構を有してもよい。この場合、載置部に対する遊技機の載せ下ろしのときにおけるキャスタの転動をロックすることができる。従って、遊技機の載せ降ろしのときに遊技機運搬台車が移動することを防止することができる。
【００１４】
前述した遊技機運搬台車において、底部の隅部に弾性体を含む保護部を備えてもよい。この場合、底部の隅部に弾性体を含む保護部が設けられるので、万が一底部が椅子等に当たっても椅子等を保護することができる。更に、保護部は弾性体から構成されるので、椅子等に加わる衝撃を緩和して、底部が傷つくことを抑制することができる。
【００１５】
前述した遊技機運搬台車において、載置部は、遊技機が載せられる本体と、本体の側面に取り付けられる把持部とを備え、把持部の上面は本体の上面よりも下方に位置してもよい。この場合、遊技機が載せられる本体の上面よりも把持部の上面が下方に位置するので、本体に遊技機を載せるときに把持部を邪魔になりにくくすることができる。従って、把持部が設けられた本体の側面の方向からも遊技機を本体に載せることができ、種々の方向から遊技機を載せることができるので、遊技機の運搬作業を更に効率よく行うことができる。
【００１６】
前述した遊技機運搬台車は、底部の上面に設けられ、平面視において枠状に形成される箱状部を備えてもよい。この場合、底部の上面に設けられて枠状に形成される箱状部に工具等を入れることができる。従って、箱状部に工具等を入れることによって、遊技機の運搬中に工具等が底部から落下する可能性を低減させることができる。その結果、遊技機と共により多くの工具等をより確実に運搬することができるので、更なる運搬の効率化に寄与する。
【００１７】
前述した遊技機運搬台車において、載置部は、載せられた遊技機の移動を阻止するストッパを備えてもよい。この場合、載置部に載せられた遊技機の移動をストッパが阻止するので、遊技機を運搬するとき等における遊技機の移動を抑制することができる。従って、ストッパが遊技機の移動を阻止することにより、遊技機の運搬をより安全且つスムーズに行うことができる。
【発明の効果】
【００１８】
本発明によれば、複数の椅子が固定されたホールの内部における遊技機の運搬作業を効率よく行うことができる。
【図面の簡単な説明】
【００１９】
【図１】図１は、実施形態に係る遊技機運搬台車及び遊技機の一例を示す斜視図である。
【図２】図２は、実施形態に係る遊技機運搬台車を示す斜視図である。
【図３】図３は、図２の遊技機運搬台車の台部を示す斜視図である。
【図４】図４は、図１の遊技機が載せられる載置部を示す分解斜視図である。
【図５】図５は、高さが変更された図２の遊技機運搬台車を示す斜視図である。
【図６】図６は、図５の台部の分解斜視図である。
【図７】図７は、図４の載置部のスロープ付近の構成を拡大した斜視図である。
【図８】図８は、図７のスロープの端部に取り付けられるスロープ保護部を示す斜視図である。
【図９】図９は、図２の遊技機運搬台車を用いて遊技機を運搬する手順を示す斜視図である。
【図１０】図１０は、図９の状態の遊技機運搬台車を示す斜視図である。
【図１１】図１１は、図９の手順の続きを示す斜視図である。
【図１２】図１２は、図１１の状態の遊技機運搬台車を示す斜視図である。
【図１３】図１３は、図１１の手順の続きを示す斜視図である。
【図１４】図１４は、図１３の状態の遊技機運搬台車を示す斜視図である。
【図１５】図１５は、図１３の手順を経て遊技機の運搬が完了した状態の例を示す斜視図である。
【発明を実施するための形態】
【００２０】
以下では、図面を参照しながら本発明に係る遊技機運搬台車の実施形態について詳細に説明する。図面の説明において、同一又は相当する要素には同一の符号を付し、重複する説明を適宜省略する。また、図面は、理解を容易にするため、一部を誇張又は簡略化して描いている場合があり、寸法等は図面に記載のものに限定されない。
【００２１】
図１に示されるように、実施形態に係る遊技機運搬台車１は、遊技機Ｍが載せられた状態で遊技機Ｍを運搬する台車である。遊技機Ｍは、例えば、スロットマシンであるが、パチンコ機、弾球遊技機又はパチスロ遊技機等、スロットマシン以外の遊技機であってもよい。遊技機Ｍは、例えば、パチンコ・スロット店等の遊技場（遊技店）のホールの内部に設置された遊技島に運搬されて遊技島に取り付けられる。また、遊技機Ｍは、工場等から遊技場の倉庫に搬送されて保管されることもあれば、メンテナンス時等に遊技島又は倉庫から運搬されてパチンコ・スロット店の外の工場等に運搬されることもある。遊技機運搬台車１は、例えば、遊技場のホールの内部において遊技機Ｍを運搬するときに用いられる。
【００２２】
遊技機運搬台車１は、例えば、ホールの床面Ｈを転動するキャスタ２が取り付けられた底部１０と、底部１０から上方に延びる柱部２０と、柱部２０の上側において遊技機Ｍが載せられる載置部３０とを備える。例えば、底部１０は水平方向に延びる板状とされており、これにより、底部１０の加工を容易に行うことが可能であると共に底部１０の上に工具等を載せることも可能である。なお、本明細書において、「水平方向」は、厳密な水平方向だけでなく、若干傾いた水平方向等も含まれる。
【００２３】
例えば、平面視において、載置部３０の面積は底部１０の面積よりも小さく、載置部３０は底部１０の内側に位置する。底部１０は、複数のキャスタ２を備えており、一例として、底部１０の四隅のそれぞれにキャスタ２が設けられる。キャスタ２は、車輪２ａと、回転式のロック機構２ｂとを備える。
【００２４】
ロック機構２ｂは、車輪２ａの転動をロック可能とされている。一例として、ロック機構２ｂを一方向（例えば時計回り）に回転させて車輪２ａの転動をロックすると共に、当該一方向の逆方向（例えば反時計回り）にロック機構２ｂを回転させて車輪２ａのロックを解除することが可能である。但し、ロック機構２ｂの構成は、上記の回転式に限定されず、適宜変更可能である。
【００２５】
図２は、遊技機運搬台車１を示す斜視図である。図２に示されるように、底部１０は、底板３と、底板３を保護する保護部４と、底板３の底面において底板３を補強する補強部５と、工具等を収容可能な箱状部６とを備える。平面視において、底板３は、その長手方向である方向Ｄ１、及び底板３の短手方向である方向Ｄ２に延びる板状を成している。
【００２６】
すなわち、底板３は、方向Ｄ１に延びる長辺３ｍと、方向Ｄ２に延びる一対の短辺３ｎとを有する。一例として、底板３の長手方向である方向Ｄ１、及び底板３の短手方向である方向Ｄ２のそれぞれは、遊技機運搬台車１の長手方向、及び遊技機運搬台車１の短手方向のそれぞれに一致する。
【００２７】
なお、以降の説明では、底板３の長手方向である方向Ｄ１、底板３の短手方向である方向Ｄ２、及び底板３の厚さ（高さ）方向である方向Ｄ３を用いて説明を行う。但し、これらの方向Ｄ１、方向Ｄ２及び方向Ｄ３は、あくまで説明の便宜上のものであって、本発明の範囲を限定するものではない。
【００２８】
一例として、底板３の方向Ｄ１の長さは５０ｃｍ以上且つ９０ｃｍ以下であり、底板３の方向Ｄ２の長さは２０ｃｍ以上且つ６０ｃｍ以下である。例えば、平面視における底板３の面積は、平面視における遊技機Ｍの面積よりも大きく、平面視において遊技機Ｍが底板３の中に収まるように遊技機Ｍは載せられる。
【００２９】
底板３の外形は、多角形状（例えば四角形状）とされており、一例として長方形状とされている。底板３の隅部（例えば四隅）のそれぞれは曲面状とされており（図６参照）、これにより、万が一底板３が他の物に当たっても当該物に加わる衝撃を緩和することが可能となっている。更に、底板３の隅部に保護部４が設けられることにより、当該物への衝撃を更に緩和することが可能である。なお、底板３の外形は、多角形状でなくてもよく、例えば、円形状、楕円形状又は長円形状等、他の形状であってもよい。底板３は、例えば、金属製であるが、金属以外の材料によって構成されていてもよい。一例として、底板３の材料は鉄である。
【００３０】
底板３は、方向Ｄ１に延びる第１端面３ａと、第１端面３ａの両端において方向Ｄ２に延びる一対の第２端面３ｂと、底板３の中心３ｃから見て第１端面３ａの反対側に位置する凹部７とを備える。第１端面３ａ及び第２端面３ｂは、例えば、共に直線状（平面状）とされている。また、第１端面３ａ及び第２端面３ｂは、底板３の上面３ｅが方向Ｄ３に折り曲げられた部位であり、このように底板３が上面３ｅの面外方向（下方）に折り曲げられることによって底板３の強度が高められている。上面３ｅは、例えば平坦状とされている。
【００３１】
凹部７は、遊技場のホールの内部に配置された椅子等の設備に遊技機運搬台車１が当たることを抑制するために設けられる。すなわち、底部１０が内側に窪む凹部７を有することにより、底部１０をホール内設備に当接しにくくすることができ、ホール内設備を保護することができると共に、ホール内における遊技機運搬台車１のスムーズな移動を可能とする。
【００３２】
凹部７は、平面視における底部１０（底板３）の内側に窪む部位である。凹部７は、例えば、平面視において底部１０の中央側に延びる一対の第１延在部７ｂと、第１延在部７ｂから斜めに延びる傾斜部７ｃと、一対の傾斜部７ｃの間において延在する第２延在部７ｄとを有する。一例として、凹部７は、方向Ｄ１の両端のそれぞれに位置する端面７ａと、各端面７ａから直線状に延びる一対の第１延在部７ｂと、第１延在部７ｂから方向Ｄ１及び方向Ｄ２の双方に対して斜めに延びる一対の傾斜部７ｃと、一対の傾斜部７ｃの間において方向Ｄ１に延びる第２延在部７ｄとを有する。
【００３３】
前述したように、第１延在部７ｂは、底部１０の中央側に延びており、一例として方向Ｄ２に延びている。なお、「底部の中央側」とは、底部の中央に接近する方向を示しており、例えば、端面７ａから窪む方向、及び端面７ａを基準とした方向Ｄ２を含んでいる。また、第１延在部７ｂ、傾斜部７ｃ及び第２延在部７ｄは、例えば、共に、平坦面とされている。
【００３４】
なお、端面７ａ、第１延在部７ｂ、傾斜部７ｃ及び第２延在部７ｄの形状、並びに凹部７の全体形状は図面に示される形状に限られず、適宜変更可能である。例えば、端面７ａ、第１延在部７ｂ、傾斜部７ｃ及び第２延在部７ｄの少なくともいずれかが湾曲していてもよい。
【００３５】
底板３の中心３ｃから見て凹部７の反対側に箱状部６が設けられる。一例として、箱状部６は直方体状とされている。箱状部６は、例えば、底板３の上面３ｅに固定されている。一例として、箱状部６は、複数のピンＰ１が孔部３ｐ（図３参照）に挿入されることによって上面３ｅに固定される。平面視において、箱状部６は枠状とされており、枠状とされた箱状部６の内部に工具等が収容される。例えば、箱状部６は、方向Ｄ１又は方向Ｄ２に向けられる側面部６ａと、側面部６ａの端部において折り曲げられた折り曲げ部６ｂとを備える。
【００３６】
箱状部６は、例えば、平坦状とされた複数の鉄板によって構成されている。箱状部６は、例えば複数（一例として４つ）の側面部６ａを備えており、複数の側面部６ａはピンＰ２によって互いに連結されている。具体的には、側面部６ａは、方向Ｄ１及び方向Ｄ３に延びる一対の第１側面部６ｃと、各第１側面部６ｃの方向Ｄ１の端部間において方向Ｄ２及び方向Ｄ３に延びる一対の第２側面部６ｄとを有する。各第２側面部６ｄの方向Ｄ２の端部には方向Ｄ１に折り曲げられた折り曲げ部６ｅが設けられており、各折り曲げ部６ｅは第１側面部６ｃの方向Ｄ２の内側に重ねられる。この状態で第１側面部６ｃ及び折り曲げ部６ｅがピンＰ２で接合されることによって箱状部６が形成される。
【００３７】
箱状部６は、例えば、複数の折り曲げ部６ｂを備えており、各折り曲げ部６ｂは各側面部６ａの下端において方向Ｄ１及び方向Ｄ２に延在している。平面視において、各折り曲げ部６ｂは各側面部６ａよりも底板３の外側に広がるように配置されており、ピンＰ１の各折り曲げ部６ｂ及び孔部３ｐ（図３参照）への挿入によって各折り曲げ部６ｂが上面３ｅに固定されることにより、箱状部６が上面３ｅに固定されている。
【００３８】
なお、上記では、平坦状とされた複数の鉄板によって構成されると共に直方体状とされた箱状部６について説明したが、箱状部６の形状は、例えば円環状等であってもよく、適宜変更可能である。但し、平坦状とされた複数の鉄板によって構成された箱状部６である場合、加工しやすく製造しやすいという利点がある。また、箱状部６の固定手段、配置位置、形状、大きさ、材料及び数は適宜変更可能である。
【００３９】
図３は、底部１０及び柱部２０の例を示す分解斜視図である。図４は、載置部３０及び柱部２０を示す分解斜視図である。図３及び図４に示されるように、柱部２０は、底部１０に固定される下側柱部２１と、載置部３０に固定される上側柱部２２とを備える。例えば、柱部２０の各部は金属によって構成されている。しかしながら、柱部２０の各部の材料は適宜変更可能である。下側柱部２１及び上側柱部２２は、底部１０に対する載置部３０の高さＴ（図２及び図５参照）を調整する高さ調整部２０Ａを構成する。
【００４０】
例えば、柱部２０は、底部１０の中心に対して互いに対称となる位置に一対に設けられる。一例として、柱部２０は、方向Ｄ１に沿って一対に設けられており、２本の下側柱部２１、及び２本の上側柱部２２を備える。下側柱部２１及び上側柱部２２は、方向Ｄ３に沿って互いにスライド可能とされており、一例として、下側柱部２１の内側に入れ子状に上側柱部２２が収容される。例えば、下側柱部２１に孔部２１ａが設けられ、上側柱部２２に互いに高さ位置が異なる複数の孔部２２ａが設けられており、ネジＮ１（図５参照）が孔部２１ａ及び孔部２２ａに挿入されてねじ込まれることによって高さＴが調整される。
【００４１】
具体的には、上側柱部２２の複数の孔部２２ａのうちのいずれかが選択され、選択された孔部２２ａと孔部２１ａにネジＮ１が通されることによって高さＴが定められる。例えば、高さＴは４５０ｍｍ以上且つ５５０ｍｍに調整可能であり、一例として、図２は高さＴが５２５ｍｍである状態、図５は高さＴが４７５ｍｍである状態、をそれぞれ示している。なお、高さ調整部２０Ａの構成は、上記の例に限られず適宜変更可能である。
【００４２】
図３に示されるように、下側柱部２１は、断面が矩形状とされた柱本体部２１ｂと、柱本体部２１ｂの下端において底部１０に固定される固定部２１ｃとを備える。柱本体部２１ｂは、方向Ｄ１を向く第１側面２１ｄと、方向Ｄ２を向く一対の第２側面２１ｅとを有する。柱本体部２１ｂの方向Ｄ１の中央側には、方向Ｄ３に延びる開口２１ｆが形成されている。開口２１ｆは、下側柱部２１の方向Ｄ３の全体にわたって延びている。開口２１ｆによって、下側柱部２１の長手方向（方向Ｄ３）に交差する方向に切断した下側柱部２１の断面形状はＣ字状とされている。
【００４３】
第２側面２１ｅには、複数の孔部２１ａが形成されており、複数の孔部２１ａは下側柱部２１を方向Ｄ２に貫通している。下側柱部２１は、例えば、方向Ｄ１に沿って並ぶ２個の孔部２１ａの組Ｃ１を上下一対に備えており、合計４個の孔部２１ａを有する。このように、孔部２１ａの組Ｃ１を上下一対に備えることにより、１本の下側柱部２１に２個のネジＮ１が挿入可能となるので、下側柱部２１及び上側柱部２２を互いに一層強固に固定させることが可能となる。
【００４４】
固定部２１ｃは、下側柱部２１の下端から方向Ｄ２に延びる一対の第１板状部２１ｇと、下側柱部２１の下端から底部１０の方向Ｄ１の両端側に延びる第２板状部２１ｈとを備える。第１板状部２１ｇは、方向Ｄ２に延びる長方形状とされており、上面３ｅに面接触した状態で上面３ｅに固定される。第２板状部２１ｈには、複数の貫通孔２１ｋ（図６参照）が形成されており、各貫通孔２１ｋにネジＮ２が挿通されて上面３ｅの挿入穴３ｇにねじ込まれることによって第２板状部２１ｈは上面３ｅに固定される。
【００４５】
第２板状部２１ｈは、第１側面２１ｄに面接触して第１側面２１ｄに固定される第１部分２１ｊと、第１部分２１ｊの下端から上面３ｅに沿って延びる第２部分２１ｐとを有し、例えば、第１部分２１ｊ及び第２部分２１ｐは折り曲げ加工によって形成される。第１部分２１ｊには貫通孔２１ｍ（図６参照）が形成されており、貫通孔２１ｍにネジＮ３が挿通されてねじ込まれることによって第１部分２１ｊは第１側面２１ｄに固定される。
【００４６】
図４に示されるように、上側柱部２２は、断面が矩形状とされた本体部２２ｂと、本体部２２ｂの上端に位置する板状部２２ｃとを備える。板状部２２ｃは、載置部３０に対向する部位である。本体部２２ｂは、方向Ｄ１を向く第３側面２２ｄと、方向Ｄ２を向く第４側面２２ｅとを有する。本体部２２ｂの方向Ｄ１の中央側には、方向Ｄ３に延びる開口２２ｆが形成されており、この開口２２ｆによって、上側柱部２２の長手方向に交差する方向に切断した上側柱部２２の断面形状はＣ字状とされている。
【００４７】
第４側面２２ｅには、複数の孔部２２ａが形成されており、複数の孔部２２ａは上側柱部２２を方向Ｄ２に貫通している。上側柱部２２は、例えば、１１個の孔部２２ａの組Ｃ２を上下一対に備えており、合計２２個の孔部２２ａを有する。組Ｃ２において、複数個の孔部２２ａの方向Ｄ３の位置（高さ位置）は互いに異なっており、このように互いに高さが異なる複数個の孔部２２ａを有することにより、高さＴを複数段階に調整可能である。
【００４８】
本実施形態では、一例として、組Ｃ２が１１個の孔部２２ａを含んでおり、高さＴを１１段階に調整可能である。しかしながら、孔部２２ａの数及び位置は適宜変更可能である。また、複数個の孔部２２ａの組Ｃ２を上下一対に備えることにより、１本の上側柱部２２に２個のネジＮ１が挿入可能となるので、下側柱部２１及び上側柱部２２を互いに一層強固に固定させることが可能となる。
【００４９】
載置部３０は、遊技機Ｍが載せられる本体３１と、本体３１の方向Ｄ１の端部に取り付けられる把持部３２と、本体３１から離れるに従って下方に傾斜する傾斜面３３ａを有するスロープ３３と、スロープ保護部３４とを備える。把持部３２は、例えば、本体３１の方向Ｄ１の一方側に取り付けられるが、本体３１の方向Ｄ１の両側に取り付けられてもよい。本体３１は、遊技機Ｍが載せられる板状部３１Ａと、柱部２０が連結される連結板部３１Ｂとを有する。このように載置部３０が板状部３１Ａと連結板部３１Ｂを備えた二枚板構造を有することにより、載置部３０の強度を高めることが可能である。
【００５０】
例えば、板状部３１Ａは木製であり、連結板部３１Ｂは金属製である。しかしながら、板状部３１Ａ及び連結板部３１Ｂの材料は適宜変更可能である。板状部３１Ａは、方向Ｄ１及び方向Ｄ２に延びる長方形状とされている。一例として、板状部３１Ａの方向Ｄ１の長さは３０ｃｍ以上且つ７０ｃｍ以下であり、板状部３１Ａの方向Ｄ２の長さは２０ｃｍ以上且つ６０ｃｍ以下である。
【００５１】
板状部３１Ａの方向Ｄ２の一方側の隅部３１ｃは丸みを帯びている。また、平面視における隅部３１ｃの位置は連結板部３１Ｂの隅部３１ｄよりも載置部３０の外側に張り出している。よって、外側に張り出す隅部３１ｃが丸みを帯びていることにより、万が一載置部３０が他の物に衝突しても当該物を傷つきにくくすることができる。
【００５２】
板状部３１ＡはネジＮ５（図５参照）が挿通される複数の貫通孔３１ａを有し、連結板部３１Ｂは各貫通孔３１ａに重ねられる複数の挿入穴３１ｂを有する。各貫通孔３１ａ及び各挿入穴３１ｂに上からネジＮ５が挿入されてネジＮ５がねじ込まれることにより、連結板部３１Ｂに板状部３１Ａが連結される。貫通孔３１ａ及び挿入穴３１ｂは、一例として、本体３１の四隅のうちの方向Ｄ２の一方側の２か所、本体３１の方向Ｄ２の中央且つ方向Ｄ１の両端それぞれの２か所、本体３１の方向Ｄ１の中央であって方向Ｄ２の一方側の１か所、及び本体３１の中央の１か所に設けられ、合計６か所に設けられる。
【００５３】
連結板部３１Ｂは、例えば、板状部３１Ａと方向Ｄ３に対面する鉄板である板状部３１ｅと、板状部３１ｅの方向Ｄ１の端部において下方に折り曲げられる側面３１ｆとを有する。側面３１ｆは、把持部３２が固定される部位である。側面３１ｆは、例えば、連結板部３１Ｂの方向Ｄ２の中央を含む領域に設けられており、方向Ｄ２に貫通する貫通孔３１ｇを有する。貫通孔３１ｇは、例えば、方向Ｄ２に沿って一対に形成されており、把持部３２は各貫通孔３１ｇにねじ止めされることによって本体３１に固定される。但し、本体３１に対する把持部３２の固定の構造及び固定手段は適宜変更可能である。
【００５４】
把持部３２は、例えば手で把持されることにより、遊技機運搬台車１を所望の位置に移動させることが可能である。一例として、把持部３２の材料は、樹脂であるが、樹脂以外の材料であってもよく適宜変更可能である。把持部３２は、方向Ｄ１に窪む凹部３２ａを有し、把持部３２が連結板部３１Ｂに固定されたときに凹部３２ａは方向Ｄ３に貫通する貫通孔を形成する。
【００５５】
平面視における把持部３２の形状は、例えば、方向Ｄ３に貫通する貫通孔を備えた台形状とされており、手で握りやすい形状とされている。従って、連結板部３１Ｂに固定された把持部３２を手で持つことにより、遊技機運搬台車１の移動を容易に行うことが可能となる。なお、平面視における把持部３２の形状は、例えば円弧状であってもよく、適宜変更可能である。
【００５６】
連結板部３１Ｂに固定された把持部３２の上面３２ｂの高さ位置は連結板部３１Ｂの上面３１ｈの高さ位置よりも低い。上面３２ｂは、例えば平坦状とされているが、湾曲していてもよい。本体３１の方向Ｄ２の他方側（丸みを帯びた隅部３１ｃの反対側）には、スロープ３３が取り付けられる。スロープ３３は、遊技機運搬台車１の中央から見て前述した凹部７の反対側に設けられる。スロープ３３は、板状部３１Ａの上面３１ｊに遊技機Ｍをスムーズに載せるための部位であって、上面３１ｊに向かうに従って徐々に高くなる傾斜面３３ａを有する。スロープ３３は、上面３１ｊに固定される固定部３３ｂと、固定部３３ｂと共に本体３１を挟み込む下板部３３ｃとを更に備える。また、上面３１ｊには、上面３１ｊから下方に窪む段差部３１ｍが設けられており、スロープ３３は段差部３１ｍに取り付けられる。
【００５７】
図４及び図５に示されるように、板状部３１Ａの上面３１ｊには、ストッパ３５が取り付けられる。一例として、ストッパ３５は円柱状とされている。ストッパ３５は、上面３１ｊから突出するように設けられ、上面３１ｊに載せられた遊技機Ｍの移動を阻止するために設けられる。ストッパ３５は、例えば、ねじ込みによって上面３１ｊに固定されるが、ストッパ３５の固定手段は適宜変更可能である。一例として、一対のストッパ３５が板状部３１Ａの方向Ｄ１の両端部のそれぞれに設けられ、各ストッパ３５は遊技機Ｍの方向Ｄ１への移動を阻止する。なお、ストッパ３５の形状、大きさ、数及び配置態様は適宜変更可能である。
【００５８】
傾斜面３３ａは、例えば、平坦状とされている。しかしながら、傾斜面３３ａは、スロープ３３の外側に膨らむように湾曲していてもよいし、スロープ３３の内側に窪むように湾曲していてもよく、傾斜面３３ａの形状は適宜変更可能である。傾斜面３３ａと下板部３３ｃとを連結するスロープ３３の先端部３３ｆは丸みを帯びている。これにより、後述する椅子Ｓ及び遊技島Ｙの下板Ｙ２（図１１参照）等のホール内設備にスロープ３３が当たっても当該ホール内設備が傷つく可能性を抑えることが可能である。
【００５９】
また、スロープ３３は傾斜面３３ａ、固定部３３ｂ、下板部３３ｃ及び先端部３３ｆを有することにより、方向Ｄ１から見たスロープ３３の形状がＣ字状とされている。但し、スロープ３３は本体３１から離れるに従って下方に傾斜する傾斜面３３ａを有していればよく、方向Ｄ１から見たスロープ３３の形状はＣ字状に限られず適宜変更可能である。また、スロープ３３の方向Ｄ１の端部には、後述するスロープ保護部３４が取り付けられる。
【００６０】
固定部３３ｂは傾斜面３３ａの上端において方向Ｄ１及び方向Ｄ２に延在する板状とされている。固定部３３ｂにはネジＮ６（図５参照）が挿通される貫通孔３３ｄが形成されており、板状部３１Ａの上面３１ｊには貫通孔３３ｄが重ねられる挿入穴３１ｋが形成されている。固定部３３ｂと下板部３３ｃが本体３１を挟み込んだ状態で挿入穴３１ｋに貫通孔３３ｄが重ねられ、貫通孔３３ｄ及び挿入穴３１ｋにネジＮ６がねじ込まれることにより、スロープ３３は本体３１に固定される。
【００６１】
例えば、貫通孔３３ｄ及び挿入穴３１ｋは、載置部３０の方向Ｄ１の両端それぞれ、及び載置部３０の方向Ｄ１の中央に設けられると共に、方向Ｄ１の中央と両端との間のそれぞれに設けられる。一例として、合計５個の貫通孔３３ｄ及び挿入穴３１ｋが設けられる。
【００６２】
図６は、下側柱部２１及び底部１０の分解斜視図である。図６に示されるように、キャスタ２は、例えば、底板３の底面３ｆに固定される。一例として、キャスタ２は、前述した車輪２ａ及びロック機構２ｂを備えており、ロック機構２ｂの上端には底板３に取り付けられる取付部２ｃを備える。例えば、取付部２ｃは、底板３の隅部３ｈ（一例として四隅）のそれぞれに設けられる。
【００６３】
取付部２ｃは、例えば、板状とされており、底面３ｆに面接触した状態で底面３ｆに固定される。取付部２ｃは、一例として、角部が丸められた長方形状とされており、一対の長辺２ｅと一対の短辺２ｆとを有する。取付部２ｃは、長辺２ｅ及び短辺２ｆが方向Ｄ１及び方向Ｄ２の双方に傾斜すると共に、長辺２ｅが底板３の隅部３ｈに対向するように取り付けられる。
【００６４】
取付部２ｃにはネジが挿通される貫通孔２ｄが形成されており、例えば、貫通孔２ｄは、取付部２ｃの隅部のそれぞれに配置されている。一例として、貫通孔２ｄは、長方形状とされた取付部２ｃの四隅のそれぞれに配置されている。貫通孔２ｄに挿通されたネジが底板３のネジ穴３ｊにねじ込まれることによって取付部２ｃは底板３に取り付けられる。
【００６５】
保護部４は、例えば、長方形状とされた底板３の四隅のそれぞれにネジＮ７（図５参照）によって取り付けられる。一例として、保護部４は２つのネジ穴４ｄを備えており、２つのネジ穴４ｄは、２つのネジ穴４ｄを結ぶ仮想直線が方向Ｄ１及び方向Ｄ２の双方に傾斜すると共に底板３の隅部３ｈに対向するように配置される。保護部４は、弾性体を含んでおり、例えば、ゴム製である。
【００６６】
保護部４は、底板３の外側に向けられる湾曲面４ａと、底板３の内側に向けられる直線部４ｂと、湾曲面４ａ及び直線部４ｂを互いに接続する一対の接続部４ｃとを有する。保護部４が外側に向けられる湾曲面４ａを有することにより、仮に湾曲面４ａが他の物に当接しても当該他の物に加わる衝撃を緩和することが可能である。また、保護部４は、底板３の隅部を保護するコーナーガードである。なお、保護部４の形状、大きさ、材料、数及び配置態様は上記の例に限定されず適宜変更可能である。
【００６７】
補強部５は、方向Ｄ１に延びる棒状とされており、底板３の底面３ｆに固定される。補強部５は、底面３ｆに下から接触すると共に方向Ｄ１に延びる第１板部５ａと、第１板部５ａの幅方向の端部から下方に延びる第２板部５ｂとを有する。補強部５の長手方向（方向Ｄ１）に交差する方向で補強部５を切断したときの第１板部５ａ及び第２板部５ｂの断面形状は、Ｌ字状とされている。
【００６８】
第１板部５ａには、底板３の貫通孔３ｋに上から挿通されたネジＮ８（図５参照）が挿入されるネジ穴５ｃが形成されており、貫通孔３ｋに通されたネジＮ８がネジ穴５ｃにねじ込まれることによって底板３の下に補強部５が固定される。一例として、第１板部５ａは５個のネジ穴５ｃを有し、ネジ穴５ｃは、第１板部５ａの両端のそれぞれ、第１板部５ａの方向Ｄ１の中央、及び、方向Ｄ１の両端と中央の間、のそれぞれに設けられる。
【００６９】
図７は、載置部３０のスロープ３３付近の構成を拡大した斜視図である。図８は、スロープ３３に取り付けられるスロープ保護部３４の斜視図である。図４、図７及び図８に示されるように、スロープ保護部３４は、スロープ３３の方向Ｄ１の端部３３ｅに取り付けられる部品であって、端部３３ｅを保護するために設けられる。すなわち、スロープ保護部３４は、スロープ３３の隅部を保護するスロープガードである。スロープ保護部３４は、例えば、Ｃ字状とされたスロープ３３の内側部分３３ｇに嵌め込まれることによって端部３３ｅに取り付けられる。
【００７０】
例えば、スロープ保護部３４は、弾性体を含んでおり、一例として、ゴム製である。このように、スロープ３３の方向Ｄ１の端部３３ｅにスロープ保護部３４が取り付けられることによってスロープ３３に加わる衝撃を緩和すると共に、椅子Ｓ又は下板Ｙ２の前面等にスロープ３３が当接しても、椅子Ｓ又は下板Ｙ２等のホール内設備が傷づくことを回避することができる。例えば、スロープ保護部３４は、スロープ３３の内側部分３３ｇに挿入される挿入部３４ａと、挿入部３４ａの方向Ｄ１の一端で拡張するフランジ部３４ｂとを備える。
【００７１】
挿入部３４ａは、フランジ部３４ｂから方向Ｄ１に延びる角柱状とされている。挿入部３４ａは、スロープ３３の傾斜面３３ａの内側に対向する傾斜面３４ｃと、スロープ３３の下板部３３ｃの内側に対向する下面３４ｄと、傾斜面３４ｃ及び下面３４ｄの間で方向Ｄ３に延びる外面３４ｅとを有する。方向Ｄ１に交差する面で切断したときの挿入部３４ａの断面形状は、例えば、直角三角形状とされている。
【００７２】
フランジ部３４ｂは、挿入部３４ａがスロープ３３の内側部分３３ｇに挿入されたときにスロープ３３から露出する部位であり、スロープ３３の方向Ｄ１の端部３３ｅに設けられる。一例として、フランジ部３４ｂは、スロープ３３の方向Ｄ１の端部３３ｅに対向する対向面３４ｆと、スロープ３３の傾斜面３３ａに沿って延びる傾斜面３４ｇと、スロープ３３の下板部３３ｃに沿って延びる下面３４ｈと、傾斜面３４ｇ及び下面３４ｈの間で方向Ｄ３に延びる外面３４ｊとを有する。また、フランジ部３４ｂは、例えば、方向Ｄ２及び方向Ｄ３に延びる直角三角形状とされており、フランジ部３４ｂの角部３４ｋのそれぞれは丸みを帯びている。よって、スロープ３３に対する衝撃を一層緩和させることが可能である。
【００７３】
次に、遊技機運搬台車１を用いて遊技機Ｍを運搬する運搬方法について図９〜図１５を参照しながら説明する。まず、図１１に示されるように、遊技機Ｍが取り付けられる一例としての遊技島Ｙは、ホールに設けられると共に遊技機Ｍが固定される構造体であって、例えば、木製又は金属製である。遊技島Ｙは、遊技機Ｍが取り付けられると共に所定の方向に沿って配列された複数の枠Ｙ１を備えており、複数の枠Ｙ１のそれぞれに遊技機Ｍが取り付けられる。
【００７４】
以上のように複数の遊技機Ｍが取り付けられることにより、遊技島Ｙでは、複数の遊技機Ｍが所定の方向に沿って配列される。遊技島Ｙには、更に、遊技用のメダル等を利用者に貸し出すメダル貸し機、遊技機Ｍの状態をホールの従業員等に知らせる呼び出しランプ、及び、メダル貸し機又は遊技機Ｍにメダル等を供給すると共にオーバーフローしたメダル等を回収してメダル等を循環させる循環機構、等が必要に応じて適宜取り付けられる。
【００７５】
遊技島Ｙには、枠Ｙ１の下側に位置する下板Ｙ２と、枠Ｙ１の上側に位置する上板Ｙ３とが含まれており、遊技機Ｍは、下板Ｙ２の上に載置された状態で遊技島Ｙに固定される。遊技島Ｙに対する遊技機Ｍの固定は、例えば、釘又は他の金具と工具等を用いて行われる。下板Ｙ２は枠Ｙ１において椅子Ｓ側に突出しており、下板Ｙ２の上面には灰皿等が設けられる場合もある。
【００７６】
遊技場のホールには、遊技島Ｙに取り付けられた複数の遊技機Ｍのそれぞれに対向するように椅子Ｓが設けられる。複数の椅子Ｓのそれぞれは、遊技機Ｍで遊技を行う利用者が座るために設けられる。複数の椅子Ｓは、遊技機Ｍと共に所定の方向に沿って配列されており、各椅子Ｓは転倒防止のためホールの床面Ｈに固定されている。例えば、椅子Ｓは、床面Ｈに固定される固定部Ｓ１と、固定部Ｓ１から上方に延びる柱部Ｓ２と、柱部Ｓ２の上方に位置する座部Ｓ３と、座部Ｓ３から上方に延びる背もたれ部Ｓ４とを備える。
【００７７】
一例として、座部Ｓ３及び背もたれ部Ｓ４は、柱部Ｓ２に沿って鉛直方向に延びる軸線を中心として水平方向に回転自在とされており、座部Ｓ３の天面の高さは下板Ｙ２の天面の高さよりも低い。例えば、固定部Ｓ１は円板状とされており、柱部Ｓ２は円柱状とされている。座部Ｓ３は、例えば、クッション性が高い材料によって構成されており、背もたれ部Ｓ４は利用者の背中を支える板状とされている。但し、椅子Ｓの各部の構成は適宜変更可能である。
【００７８】
以下では、椅子Ｓと椅子Ｓの間に遊技機運搬台車１を通して遊技機Ｍを遊技島Ｙに運搬する運搬方法の例について説明する。椅子Ｓと隣接する椅子Ｓとの距離は、人が通れる程度とされており、例えば数十センチ程度である。このように、椅子Ｓと隣接する椅子Ｓとの間は狭いので、椅子Ｓと隣接する椅子Ｓとの間にスムーズに遊技機運搬台車１を通して遊技機Ｍを効率よく運搬することが求められる。
【００７９】
図９に示されるように、遊技機Ｍの長手方向Ｘを遊技機運搬台車１の長手方向である方向Ｄ１に合わせて載置部３０の上に遊技機Ｍを載せると共に、遊技機Ｍの正面（例えば、スロットマシンのリール等の遊技領域が露出する面）が凹部７と略同一の方向を向くように遊技機Ｍを遊技機運搬台車１に載せる。また、工具等を底部１０の上面３ｅの箱状部６に入れてもよい。
【００８０】
事前に底部１０に対する載置部３０の高さＴを柱部２０の高さ調整部２０Ａによって調整する。具体的には、下側柱部２１に対する上側柱部２２の高さを調整しつつ下側柱部２１の孔部２１ａ、及び上側柱部２２の孔部２２ａにネジＮ１を挿入して高さＴを調整する。このとき、高さＴを、例えば、座部Ｓ３の天面よりも高く（一例として、連結板部３１Ｂの下面が座部Ｓ３の天面より高くなるように）調整すると共に、遊技島Ｙの下板Ｙ２の高さと同程度、又は下板Ｙ２の高さよりも少し高くなるように調整する。そして、各キャスタ２のロック機構２ｂで車輪２ａへのロックを解除した状態として遊技機運搬台車１を移動させる。
【００８１】
図１０は、図９の状態において遊技機Ｍの図示を省略した遊技機運搬台車１の斜視図を示している。図９及び図１０に示されるように、遊技機Ｍが載せられた遊技機運搬台車１の凹部７を一対の椅子Ｓのいずれか（図９及び図１０では右側の椅子Ｓ）に対向させると共に、底板３の短辺３ｎを椅子Ｓと椅子Ｓとの間に入り込ませる。また、載置部３０の一部が座部Ｓ３の直上に位置するように遊技機運搬台車１を移動させてもよい。
【００８２】
このとき、凹部７を椅子Ｓの固定部Ｓ１（又は柱部Ｓ２）の外周Ｓ５に沿うように遊技機運搬台車１を配置して遊技機運搬台車１を遊技島Ｙ側に押し込む。このように、底板３が内側に湾曲して窪む凹部７を有するため、椅子Ｓの外周Ｓ５に湾曲した凹部７を沿わせて遊技機運搬台車１を押し込むことにより、底板３の椅子Ｓへの衝突を回避してスムーズに遊技機運搬台車１を遊技島Ｙに押し込むことが可能となる。
【００８３】
次に、図１１及び図１２に示されるように、遊技機運搬台車１を椅子Ｓの外周Ｓ５に沿って傾けながら遊技機運搬台車１を椅子Ｓに沿って回転移動させる。図１１は、本実施形態の運搬方法の図９の続きを示す図である。図１２は、図１１の遊技機運搬台車１の遊技機Ｍを省略した図である。
【００８４】
遊技機運搬台車１を回転移動させるときには、例えば、底板３の凹部７が椅子Ｓの固定部Ｓ１（又は柱部Ｓ２）の外周Ｓ５に沿うように遊技機運搬台車１を移動させていく。このとき、底板３の凹部７が湾曲しているので、凹部７の内側に椅子Ｓ（固定部Ｓ１）が入り込むように遊技機運搬台車１を移動させることにより、椅子Ｓと椅子Ｓとの間において椅子Ｓの外周Ｓ５に沿った遊技機Ｍの運搬をスムーズに行うことが可能である。
【００８５】
続いて、図１３及び図１４に示されるように、椅子Ｓの外周Ｓ５に沿った遊技機運搬台車１の回転移動を継続して載置部３０を椅子Ｓと遊技島Ｙの枠Ｙ１との間に移動させる。図１３は、本実施形態の運搬方法の図１１の続きを示す図である。図１４は、図１３の遊技機運搬台車１の遊技機Ｍを省略した図である。
【００８６】
椅子Ｓの外周Ｓ５に沿った遊技機運搬台車１の回転移動を継続して載置部３０を遊技島Ｙの枠Ｙ１と椅子Ｓとの間に移動させると、載置部３０のスロープ３３が遊技島Ｙに対向し、例えば、スロープ３３の傾斜面３３ａが下板Ｙ２の上面に対向する。このとき、各キャスタ２のロック機構２ｂによって各車輪２ａの転動をロックする。また、傾斜面３３ａが下板Ｙ２の上面に対向することにより、遊技機Ｍを下板Ｙ２の上面にスムーズに降ろすことが可能となる。更に、遊技機Ｍの正面の向きが凹部７の向きと略同一であってスロープ３３の反対側を向いているため、遊技機Ｍの向きを変えずに遊技機Ｍを下板Ｙ２の上に降ろすことができる。
【００８７】
遊技機Ｍを遊技島Ｙの下板Ｙ２の上に降ろした後には、図１５に示されるように、遊技島Ｙに工具等を用いて遊技機Ｍを設置して、本実施形態に係る運搬方法の一連の工程を完了する。なお、遊技島Ｙから遊技機Ｍを搬出する搬出方法については、本実施形態に係る運搬方法の逆の手順で実行される。
【００８８】
すなわち、各キャスタ２のロック機構２ｂで車輪２ａの転動をロックすると共にスロープ３３が下板Ｙ２に対向するように載置部３０を配置した状態で載置部３０の上に下板Ｙ２から遊技機Ｍを載せる。その後、ロック機構２ｂで車輪２ａのロックを解除し、椅子Ｓの外周Ｓ５に沿って遊技機運搬台車１を回転移動させて遊技機運搬台車１を椅子Ｓと隣接する椅子Ｓとの間から引っ張り出した後に、遊技機Ｍを倉庫又は工場等に搬出して搬出方法の一連の工程を完了する。
【００８９】
次に、本実施形態に係る遊技機運搬台車１の作用効果について詳細に説明する。例えば図９に示されるように、遊技機運搬台車１では、床面Ｈ上を転動するキャスタ２が取り付けられた底部１０が水平方向に延びる板状とされている。よって、板状とされた底部１０の上に工具等を載せることができる。
【００９０】
すなわち、板状とされる底部１０を工具等の載置スペースとすることが可能である。従って、載置部３０に遊技機Ｍを載せると共に、板状の底部１０の上に工具等を載せることができるので、遊技機Ｍと工具等を共に遊技機運搬台車１に載せることができる。その結果、遊技機Ｍの運搬作業の作業性を高めることができる。
【００９１】
また、底部１０は、平面視において底部１０の内側に湾曲して窪む凹部７を有し、図２及び図９に示されるように、凹部７は、底部１０の中央側に延びる一対の第１延在部７ｂ、一対の傾斜部７ｃ及び第２延在部７ｄを有する。よって、狭い間隔で並べられた複数の椅子Ｓの間において、第１延在部７ｂ、傾斜部７ｃ及び第２延在部７ｄを有する凹部７を椅子Ｓに対向させた状態で椅子Ｓの外周Ｓ５に沿うように遊技機運搬台車１を移動させることにより、遊技機Ｍを載せた遊技機運搬台車１を複数の椅子Ｓの間においてスムーズに移動させることができる。
【００９２】
更に、板状とされた底部１０が凹部７を有することにより、椅子Ｓ等への底部１０の干渉を抑制することができる。従って、複数の椅子Ｓの間に遊技機運搬台車１をスムーズに通すことができるので、複数の椅子Ｓが固定されたホールの内部における遊技機Ｍの運搬作業を効率よく行うことができる。
【００９３】
図４及び図５に示されるように、遊技機運搬台車１は、底部１０に対する載置部３０の高さＴを調整する高さ調整部２０Ａを備える。ところで、遊技機Ｍが設置される遊技島Ｙ等の島設備の高さは、ホール等によって微妙に異なることがある。従って、遊技機運搬台車の載置部の高さが不変である場合には、載置部から遊技機を持ち上げる必要が生じうる。
【００９４】
これに対し、本実施形態に係る遊技機運搬台車１は、載置部３０の高さＴを調整する高さ調整部２０Ａを備えるため、島設備の高さが異なる場合であっても、高さ調整部２０Ａによって載置部３０の高さＴを調整することにより、遊技機Ｍを持ち上げる手間を低減することができる。従って、高さ調整部２０Ａで載置部３０の高さＴを調整することによって載置部３０に対する遊技機Ｍの載せ降ろしを効率よく行うことができるので、遊技機Ｍの運搬作業をよりスムーズに行うことができる。
【００９５】
遊技機運搬台車１において、載置部３０は、遊技機Ｍが載せられる本体３１と、本体３１の平面視の一端に位置するスロープ３３とを備え、スロープ３３は、本体３１から離れるに従って下方に傾斜する傾斜面３３ａを有する。すなわち、遊技機Ｍが載せられる載置部３０の本体３１の一端にスロープ３３が設けられ、スロープ３３は本体３１から離れるに従って下方に傾斜する傾斜面３３ａを有する。
【００９６】
従って、スロープ３３の傾斜面３３ａに沿って遊技機Ｍを載せることにより遊技機Ｍをスムーズに本体３１の上に載せることができる。また、本体３１の上面３１ｊからスロープ３３の傾斜面３３ａに沿って遊技機Ｍを降ろすことにより、遊技機Ｍを本体３１からスムーズに降ろすことができる。従って、遊技機Ｍの運搬作業をよりスムーズに行うことができる。
【００９７】
スロープ３３は、平面視において凹部７の反対側に設けられる。よって、椅子Ｓに凹部７を対面させて椅子Ｓの外周Ｓ５に沿うように遊技機運搬台車１を移動させると、スロープ３３は椅子Ｓの反対側に向けられる。すなわち、平面視における椅子Ｓの位置を中心としたときに凹部７が内側に向けられると共にスロープ３３は外側に向けられる。従って、外側に位置する遊技機Ｍをスロープ３３を介してスムーズに載置部３０に載せたり、載置部３０から遊技機Ｍをスムーズに降ろしたりすることができる。従って、載置部３０に対する遊技機Ｍの載せ降ろしを一層スムーズに行うことができるので、遊技機Ｍの運搬作業を一層スムーズに行うことができる。
【００９８】
図１に示されるように、遊技機運搬台車１において、キャスタ２は、床面Ｈ上における転動をロックするロック機構２ｂを有する。よって、載置部３０に対する遊技機Ｍの載せ降ろしのときにおけるキャスタ２の転動をロックすることが可能となる。従って、遊技機Ｍの載せ降ろしのときに遊技機運搬台車１が移動することを防止することができる。
【００９９】
遊技機運搬台車１は、底部１０の隅部に弾性体を含む保護部４を備える。従って、底部１０の隅部に弾性体を含む保護部４が設けられるので、万が一底部１０が椅子Ｓ等に当接しても椅子Ｓ等を保護することができる。更に、保護部４は弾性体から構成されるので、椅子Ｓ等に加わる衝撃を緩和して、椅子Ｓ等のホール内設備が傷つくことを抑制することができる。更に、遊技機運搬台車１は、スロープ３３の端部を保護するスロープ保護部３４を備えるため、スロープ３３が椅子Ｓ又は遊技島Ｙの下板Ｙ２の前面等のホール内設備に衝突したとしても、当該ホール内設備に傷がつくことを抑制することができる。
【０１００】
遊技機運搬台車１において、載置部３０は、遊技機Ｍが載せられる本体３１と、本体３１の側面３１ｆに取り付けられる把持部３２とを備え、把持部３２の上面３２ｂは本体３１の上面３１ｊよりも下方に位置する。よって、遊技機Ｍが載せられる本体３１の上面３１ｊよりも把持部３２の上面３２ｂが下方に位置するので、本体３１に遊技機Ｍを載せるときに把持部３２を邪魔になりにくくすることができる。従って、把持部３２が設けられた本体３１の側面３１ｆの方向、すなわち、遊技機運搬台車１の短手方向である方向Ｄ２からも遊技機Ｍを本体３１に載せることができ、種々の方向から遊技機Ｍを載せることができるので、遊技機Ｍの運搬作業を更に効率よく行うことができる。
【０１０１】
遊技機運搬台車１は、底部１０の上面３ｅに設けられ、平面視において枠状に形成される箱状部６を備える。よって、底部１０の上面３ｅに設けられて枠状に形成される箱状部６に工具等を入れることができる。従って、箱状部６に工具等を入れることによって、遊技機Ｍの運搬中に工具等が底部１０から落下する可能性を低減させることができる。その結果、遊技機Ｍと共により多くの工具等を確実に運搬することができるので、更なる運搬の効率化に寄与する。
【０１０２】
遊技機運搬台車１において、載置部３０は、載せられた遊技機Ｍの移動を阻止するストッパ３５を備える。よって、載置部３０に載せられた遊技機Ｍの移動をストッパ３５が阻止するので、遊技機Ｍを運搬するとき等における遊技機Ｍの移動を抑制することができる。従って、ストッパ３５が遊技機Ｍの移動を阻止することにより、遊技機Ｍの運搬をより安全且つスムーズに行うことができる。
【０１０３】
以上、本発明に係る遊技機運搬台車の実施形態について説明したが、本発明は、前述した実施形態に限定されるものではなく、各請求項に記載した要旨を変更しない範囲において適宜変更可能である。すなわち、遊技機運搬台車の各部の形状、大きさ、数、材料及び配置態様は、上記の要旨を逸脱しない範囲において適宜変更可能である。
【０１０４】
例えば、前述した実施形態では、底部１０の底面３ｆに底部１０を補強する補強部５が設けられる例について説明した。しかしながら、補強部の形状、大きさ、数、材料及び配置態様は適宜変更可能である。また、補強部を省略することも可能である。また、前述した実施形態では、矩形枠状とされた箱状部６を備える例について説明したが、箱状部の形状、大きさ、数、材料及び配置態様も適宜変更可能である。更に、前述した実施形態では、端面７ａ、第１延在部７ｂ、傾斜部７ｃ及び第２延在部７ｄを有する凹部７について説明したが、凹部の形状、大きさ、数及び配置態様は上記の要旨を逸脱しない範囲において適宜変更可能である。
【０１０５】
また、前述した実施形態では、２本の柱部２０が底部１０の中心に対して互いに対称となる位置に設けられる例について説明した。しかしながら、柱部の位置、形状、大きさ、数及び材料は適宜変更可能である。更に、底部及び載置部が一定以上の厚さを有する場合には、底部の上に直接載置部が設けられる構造であってもよく、この場合、柱部を省略することも可能である。また、前述の実施形態では、下側柱部２１の内側に入れ子状に上側柱部２２が収容される高さ調整部２０Ａについて説明した。しかしながら、底部に対する載置部の高さを調整する高さ調整部の構成は、高さ調整部２０Ａの構成に限られず適宜変更可能である。
【０１０６】
また、前述した実施形態では、板状部３１Ａ及び連結板部３１Ｂを有する本体３１を備える載置部３０について説明した。しかしながら、載置部の本体の構成は、板状部３１Ａ及び連結板部３１Ｂを有する構成に限られず、適宜変更可能である。また、前述した実施形態では、凹部３２ａ及び上面３２ｂを有する把持部３２について説明したが、把持部の形状、大きさ、数、材料及び配置態様についても適宜変更可能である。
【０１０７】
また、前述の実施形態では、傾斜面３３ａ、固定部３３ｂ及び下板部３３ｃを有するスロープ３３について説明したが、スロープの形状、大きさ、数、材料及び配置態様については適宜変更可能である。更に、前述の実施形態では、挿入部３４ａ及びフランジ部３４ｂを有するスロープ保護部３４について説明したが、スロープ保護部の形状、大きさ、材料、数及び配置態様についても適宜変更可能である。このように、載置部の各部の構成は適宜変更可能である。
【０１０８】
また、前述の実施形態では、固定部Ｓ１、柱部Ｓ２、座部Ｓ３及び背もたれ部Ｓ４を備える複数の椅子Ｓの間に遊技機運搬台車１を通して遊技機Ｍを運搬する例について説明した。しかしながら、椅子の構成、及び遊技島の構成は適宜変更可能であり、本発明に係る遊技機運搬台車は様々なホールに適用させることが可能である。
【符号の説明】
【０１０９】
１…遊技機運搬台車、２…キャスタ、２ａ…車輪、２ｂ…ロック機構、２ｃ…取付部、２ｄ…貫通孔、２ｅ…長辺、２ｆ…短辺、３…底板、３ａ…第１端面、３ｂ…第２端面、３ｃ…中心、３ｅ…上面、３ｆ…底面、３ｇ…挿入穴、３ｈ…隅部、３ｊ…ネジ穴、３ｋ…貫通孔、３ｍ…長辺、３ｎ…短辺、３ｐ…孔部、４…保護部、４ａ…湾曲面、４ｂ…直線部、４ｃ…接続部、４ｄ…ネジ穴、５…補強部、５ａ…第１板部、５ｂ…第２板部、５ｃ…ネジ穴、６…箱状部、６ａ…側面部、６ｂ…折り曲げ部、６ｃ…第１側面部、６ｄ…第２側面部、６ｅ…折り曲げ部、７…凹部、７ａ…端面、７ｂ…第１延在部、７ｃ…傾斜部、７ｄ…第２延在部、１０…底部、２０…柱部、２０Ａ…高さ調整部、２１…下側柱部、２１ａ…孔部、２１ｂ…柱本体部、２１ｃ…固定部、２１ｄ…第１側面、２１ｅ…第２側面、２１ｆ…開口、２１ｇ…第１板状部、２１ｈ…第２板状部、２１ｊ…第１部分、２１ｋ…貫通孔、２１ｍ…貫通孔、２１ｐ…第２部分、２２…上側柱部、２２ａ…孔部、２２ｂ…本体部、２２ｃ…板状部、２２ｄ…第３側面、２２ｅ…第４側面、２２ｆ…開口、３０…載置部、３１…本体、３１Ａ…板状部、３１Ｂ…連結板部、３１ａ…貫通孔、３１ｂ…挿入穴、３１ｃ，３１ｄ…隅部、３１ｅ…板状部、３１ｆ…側面、３１ｇ…貫通孔、３１ｈ，３１ｊ…上面、３１ｋ…挿入穴、３２…把持部、３２ａ…凹部、３２ｂ…上面、３３…スロープ、３３ａ…傾斜面、３３ｂ…固定部、３３ｃ…下板部、３３ｄ…貫通孔、３３ｅ…端部、３３ｆ…先端部、３３ｇ…内側部分、３４…スロープ保護部、３４ａ…挿入部、３４ｂ…フランジ部、３４ｃ…傾斜面、３４ｄ…下面、３４ｅ…外面、３４ｆ…対向面、３４ｇ…傾斜面、３４ｈ…下面、３４ｊ…外面、３４ｋ…角部、３５…ストッパ、Ｃ１，Ｃ２…組、Ｄ１，Ｄ２，Ｄ３…方向、Ｈ…床面、Ｍ…遊技機、Ｎ１，Ｎ２，Ｎ３，Ｎ５，Ｎ６，Ｎ７，Ｎ８…ネジ、Ｐ１，Ｐ２…ピン、Ｓ…椅子、Ｓ１…固定部、Ｓ２…柱部、Ｓ３…座部、Ｓ４…背もたれ部、Ｓ５…外周、Ｔ…高さ、Ｘ…長手方向、Ｙ…遊技島、Ｙ１…枠、Ｙ２…下板、Ｙ３…上板。
【図１】
2020044105.tif 000003
【図２】
2020044105.tif 000004
【図３】
2020044105.tif 000005
【図４】
2020044105.tif 000006
【図５】
2020044105.tif 000007
【図６】
2020044105.tif 000008
【図７】
2020044105.tif 000009
【図８】
2020044105.tif 000010
【図９】
2020044105.tif 000011
【図１０】
2020044105.tif 000012
【図１１】
2020044105.tif 000013
【図１２】
2020044105.tif 000014
【図１３】
2020044105.tif 000015
【図１４】
2020044105.tif 000016
【図１５】
2020044105.tif 000017